【事件の表示】
　特願２０１９−　５８０４３号「遊技機」拒絶査定不服審判事件〔令和　１年　８月　８日出願公開、特開２０１９−１３０３４６号〕について、次のとおり審決する。
【結　論】
　本件審判の請求は、成り立たない。
【理　由】
第１　手続の経緯
　本願は、平成２６年１０月２４日に出願した特願２０１４−２１７７９４号の一部を平成３１年３月２６日に新たな特許出願（特願２０１９−５８０４３号）としたものであって、令和２年２月７日付けで拒絶の理由が通知され、同年３月２４日に意見書及び手続補正書が提出されたところ、同年８月２０日付け（送達日：令和２年８月２５日）で拒絶査定がなされ、それに対して、令和２年１０月２１日に拒絶査定不服審判の請求がなされると同時に手続補正がなされたものである。
第２　補正の適否
　令和２年１０月２１日に提出された手続補正書による補正（以下、「本件補正」という。）は、本件補正前の請求項２を従属形式から独立形式へと記載を変更するとともに、本件補正前の請求項１を削除するものであるから、特許法第１７条の２第５項第１号に掲げる請求項の削除を目的とするものであり、新規事項を追加するものではない。
　したがって、本件補正は適法になされたものである。
第３　本願発明
　本願の請求項１に係る発明は、本件補正後の特許請求の範囲の請求項１に記載されたとおりのものであって、その請求項１に係る発明は、次のとおりである（以下、「本願発明」という。なお、ＡないしＦの符号は、分説のために審決で付したものである。）。
「【請求項１】
Ａ　メダルを貯留可能なバケットを有するホッパ装置と、
Ｂ　前記ホッパ装置を収容する筐体と、
Ｃ　前記筐体に収容され、前記ホッパ装置から溢れたメダルを収納可能な補助収納庫と、を備え、
Ｄ　前記筐体の背板には、前記ホッパ装置の外部にメダルが落下するのを防止するためのメダルこぼれ防止部が設けられ、
Ｅ　前記メダルこぼれ防止部は、前記背板から前面側に突出し、前記バケットの後端縁と前記背板との間の隙間を埋めるように設けられ、前記背板から前記ホッパ装置に架けて設けられた第１メダルこぼれ防止部と、前記補助収納庫から前記ホッパ装置に架けて設けられた第２メダルこぼれ防止部と、を有している、
Ｆ　ことを特徴とする遊技機。」
第４　原査定の概要
　原査定の拒絶の理由は、
「この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。」
という理由を含むものであり、請求項１、２に係る発明に対して、以下の引用文献１が引用されている。
引用文献１．特開２０１３−１２８８０６号公報
第５　引用文献及び引用発明
１　引用文献の記載事項
　原査定の拒絶の理由で引用文献１として引用され、本願の出願前に頒布され又は電気通信回線を通じて公衆に利用可能となった特開２０１３−１２８８０６号公報（平成２５年７月４日出願公開、以下「引用文献」という。）には、遊技機に関し、第１変形例に係る遊技機１Ａとして、次の事項が図面とともに記載されている（下線は引用発明等の認定に関連する箇所を明示するために審決で付した。以下同じ。）。
　特に、【０１３８】には、
「第１及び第２変形例に係る遊技機１Ａ，１Ｂにおいて特に説明されない点については、前記実施形態についての説明が適宜適用される」
と記載されているところ、以下の（２）及び（３）における、
ア　「第１取付部８１は、第１開口部８２と、第１カバー部８３と、を備えて構成されている。第１開口部８２は、取り付け可能なスピーカボックス（スピーカユニット）の口径と略同形状の略円形に形成されており、キャビネット２ｂの背板２ｃを貫通するように形成されている」（【００３６】）、
イ　「第２取付部８４は、第２開口部８５と、第２カバー部８６と、を備えて構成されている。第２開口部８５は、取り付け可能なスピーカボックス（スピーカユニット）の口径と略同形状の略円形に形成されており、キャビネット２ｂの背板２ｃを貫通するように形成されている」（【００３７】）、
ウ　「キャビネット２ｂの床面には、ホッパ４０が配設されている。ホッパ４０は、開放部４２と、ホッパータンク４３と、メダル排出機構（図示せず）と、を備えて構成されている」（【００５６】）
エ　「ホッパータンク４３は、開放部４２と連続しており、開放部４２に投入されたメダルを貯留する」（【００５６】）
との事項は、「第１変形例に係る遊技機１Ａ」について記載された【０１３８】〜【０１７０】及び図１９〜２６において、特に説明されていない事項であるから、「第１変形例に係る遊技機１Ａ」においても、適用されるものであると認められる。
（１）「【００１７】
　本発明に係る遊技機１は、コイン、メダル、遊技球又はトークンなどの他、遊技者に付与された、又は付与される遊技価値の情報を記憶したカードなどの遊技媒体を用いて遊技する遊技機１である。
以下の実施形態においては、本発明に係る遊技機１は、遊技媒体としてメダルを用いて遊技を行う遊技機、いわゆるパチスロ機を用いて説明する
（２）「【００３６】
　メダル補給口８０の一方側Ｒ１には、スピーカボックス（スピーカユニット）を取り付け可能な第１取付部８１が設けられている。
第１取付部８１は、第１開口部８２と、第１カバー部８３と、を備えて構成されている。第１開口部８２は、取り付け可能なスピーカボックス（スピーカユニット）の口径と略同形状の略円形に形成されており、キャビネット２ｂの背板２ｃを貫通するように形成されている
【００３７】
　一方、メダル補給口８０の他方側Ｌ１には、スピーカボックス（スピーカユニット）を取り付け可能な第２取付部８４が設けられている。
第２取付部８４は、第２開口部８５と、第２カバー部８６と、を備えて構成されている。第２開口部８５は、取り付け可能なスピーカボックス（スピーカユニット）の口径と略同形状の略円形に形成されており、キャビネット２ｂの背板２ｃを貫通するように形成されている
（３）「【００５６】
　
キャビネット２ｂの床面には、ホッパ４０が配設されている
ホッパ４０は、開放部４２と、ホッパータンク４３と、メダル排出機構（図示せず）と、を備えて構成されている
ホッパータンク４３は、開放部４２と連続しており、開放部４２に投入されたメダルを貯留する
（４）「【０１３８】
　次に、図１９から図２８を参照して、本実施形態の第１変形例に係る遊技機１Ａ及び第２変形例に係る遊技機１Ｂについて説明する。なお、第１及び第２変形例に係る
遊技機１Ａ
第１及び第２変形例に係る遊技機１Ａ，１Ｂにおいて特に説明されない点については、前記実施形態についての説明が適宜適用される
（５）「【０１４１】
　図１９に示すように、第１変形例に係る
スピーカボックス３００は、第１ボックス３１０と、第２ボックス３２０と、連通部３３０と、を備えて構成されている。第１ボックス３１０には、スピーカユニット１０１が取り付けられており、第２ボックス３２０には、第２ボックス３２０の内部とスピーカボックス３００の外部とを連通させる放音パイプ３５０が内蔵されている。また、第１ボックス３１０と第２ボックス３２０とは並列に配置されており、連通部３３０は、第１ボックス３１０と第２ボックス３２０とを連通させている。
【０１４２】
　第１変形例に係る
スピーカボックス３００は、第１ボックス３１０及び第２ボックス３２０がスピーカユニット１０１の背面側から出力された音に対する音響空間を構成し、放音パイプ３５０と連通部３３０とがバスレフポートを構成する、いわゆるダブルバスレフ型のスピーカボックスを構成する
【０１４３】
　第１ボックス３１０は、略円筒形に形成されている。
第１ボックス３１０の長手方向における一端側（スピーカユニット１０１の正面側）には、開放された開放端部３１１が設けられている
開放端部３１１には、周縁に複数の取付部３１７が設けられている
取付部３１７は、第１ボックス３１０をキャビネット２ｂの内部側から第１取付部８１に取り付ける際に用いられる
（６）「【０１４６】
　また、
第１ボックス３１０の底部には、底面部３１５が形成されている。底面部３１５は、ホッパ４０の開放部４２を構成する上部側縁の内、一方側Ｒ１の上部側縁４４ｃの上部側Ｔに配置されるように設けられている。なお、スピーカボックス３００は、底面部３１５と上部側縁４４ｃとの隙間がメダルの厚さよりも小さくなるようにホッパ４０の上方に配置される
【０１４７】
　第２ボックス３２０は、略円筒形に形成されている。
第２ボックス３２０の長手方向における一端側（スピーカユニット１０１の正面側Ｓ１）には、密封された第１端部３２１が設けられている
第１端部３２１には、周縁に複数の取付部３２７が設けられている
取付部３２７は、第２ボックス３２０をキャビネット２ｂの内部側から第２取付部８４に取り付ける際に用いられる
（７）「【０１５０】
　また、
第２ボックス３２０の底部には、底面部３２５が形成されている。底面部３２５は、ホッパ４０の開放部４２を構成する上部側縁の内、他方側Ｌ１の上部側縁４４ａの上部側Ｔに配置されるように設けられている
【０１５１】
　図２３に示すように、
連通部３３０は、第１ボックス３１０と第２ボックス３２０の間に配置され、スピーカユニット１０１の背面側から第１ボックス３１０の内部に出力された音をバスレフポートとして第２ボックス３２０の内部に流通させる。連通部３３０は、第１パイプ３３１と、第２パイプ３３２と、連結部３３３と、を備えて構成されている
（審決注：【０１５０】の
「なお、スピーカボックス
１００
３１５
との記載について、「スピーカボックス」は、【０１３７】までに記載されている「本発明の実施形態」においては、「スピーカボックス１００」と記載され、【０１３８】−【０１７０】に記載の「本実施形態の第１変形例」においては、「スピーカボックス３００」と記載されていることから、上記記載における「スピーカボックス
１００
３００
　また、【０１４６】の「第１ボックス３１０の底部には、底面部３１５が形成され」との記載から、「第１ボックス３１０」の底面部は、「底面部３１５」であり、【０１５０】の「第２ボックス３２０の底部には、底面部３２５が形成され」との記載から「第２ボックス３２０」の底面部は、「底面部３２５」であって、【０１５０】の上記記載は、「第２ボックス３２０」の底面部に関する記載であるから、【０１５０】の上記記載における「底面部３１５」は、「底面部３２５」と記載されるべきところの誤記であると認められる。
　したがって、【０１５０】の上記記載は、
「なお、
スピーカボックス３００は、底面部３２５と上部側縁４４ａとの隙間がメダルの厚さよりも小さくなるようにホッパ４０の上方に配置される
と記載されるべきところの誤記であると認められる。）
（８）「【０１５４】
　図２２及び図２３に示すように、
連結部３３３は、第１ボックス３１０と第２ボックス３２０との間に配置されている
連結部３３３には、スピーカボックス３００の正面側Ｓ１から背面側Ｓ２に向かって下り傾斜する傾斜部３３３ａが形成されている
傾斜部３３３ａは、メダル補給口８０から補給されるメダル、案内部５３から案内されたメダル又は管理者により補給されるメダル等をキャビネット２ｂの床面に零すことなくホッパ４０に案内する
【０１５５】
　また、
連結部３３３の下部側Ｂには、底面部３３５が形成されている。底面部３３５は、ホッパ４０の開放部４２を構成する上部側縁の内、背面側Ｒの上部側縁４４ｂの上部側Ｔに配置されるように設けられている。また、スピーカボックス３００は、底面部３３５と上部側縁４４ｂとの隙間がメダルの厚さよりも小さくなるようにホッパ４０の上方に配置されている
（９）「【図１９】
」
（１０）「【図２０】
」
（１１）「【図２１】
」
（１２）「【図２２】
」
（１３）「【図２４】
」
（１４）「【図２５】
」
（１５）「【図２６】
」
（１６）【０１４３】及び【０１４７】には、第１ボックス３１０及び第２ボックス３２０が、キャビネット２ｂの第１取付け部８１及び第２取付け部８４に取り付けられることが記載されており、【００３６】及び【００３７】によれば、第１取付け部８１及び第２取付け部８４が、キャビネット２ｂの背板２ｃに形成されていることから、第１ボックス３１０及び第２ボックス３２０は、キャビネット２ｂの背板２ｃに取り付けられることが理解できる。
　そして、図１９−図２２、図２４−図２６から、「第１ボックス３１０」及び「第２ボックス３２０」のうち、キャビネット２ｂの背板２ｃに取り付けられる面は、「第１ボックス３１０」及び「第２ボックス３２０」の背面であると認められる。
　さらに、図２２及び図２４において、「連結部３３３」は、「第１ボックス３１０」及び「第２ボックス３２０」の背面よりもわずかに突出していることがみてとれる。
　したがって、
「連結部３３３」は、「第１ボックス３１０」及び「第２ボックス３２０」のキャビネット２ｂの背板２ｃに取り付けられる面よりも、わずかに突出している
（１７）図２５から、
ホッパ４０の右側方（Ｒ１側）の空間の上方にはスピーカボックス３００の第１ボックス３００が設けられていることが
（１８）図２６から、傾斜部３３３ａが、キャビネット２ｂの背板２ｃに近接して設けられることがみてとれること、【０１５４】によれば、傾斜部３３３ａは、連結部３３３に形成されていることから、傾斜部３３３ａが形成されている
連結部３３３は、キャビネット２ｂの背板２ｃに近接して設けられている
２　引用発明
　上記１（１）乃至（１８）から、引用文献には、次の発明が記載されているものと認められる。なお、ａないしｆについては、「第３　本願発明」において本願発明に付した符号Ａ乃至Ｆに対応させて付与し、引用箇所の段落番号等を併記した。
「ａｂ　キャビネット２ｂの床面に
は、ホッパ４０が配設され
　ｄｅ−１　第１ボックス３１０と、第２ボックス３２０と、連通部３３０と、を備えて構成されているスピーカボックス３００を備え、第１ボックス３１０には、スピーカユニット１０１が取り付けられており、第２ボックス３２０には、第２ボックス３２０の内部とスピーカボックス３００の外部とを連通させる放音パイプ３５０が内蔵され、第１ボックス３１０と第２ボックス３２０とは並列に配置されており、連通部３３０は、第１ボックス３１０と第２ボックス３２０とを連通させており（【０１４１】）、スピーカボックス３００は、第１ボックス３１０及び第２ボックス３２０がスピーカユニット１０１の背面側から出力された音に対する音響空間を構成し、放音パイプ３５０と連通部３３０とがバスレフポートを構成する、いわゆるダブルバスレフ型のスピーカボックスを構成し（【０１４２】）、
　ｄｅ−２−１　第１取付部８１は、第１開口部８２と、第１カバー部８３と、を備えて構成され、第１開口部８２は、取り付け可能なスピーカボックス（スピーカユニット）の口径と略同形状の略円形に形成されており、キャビネット２ｂの背板２ｃを貫通するように形成され（【００３６】）、第１ボックス３１０の長手方向における一端側（スピーカユニット１０１の正面側）には、開放された開放端部３１１が設けられ、開放端部３１１には、周縁に複数の取付部３１７が設けられ、取付部３１７は、第１ボックス３１０をキャビネット２ｂの内部側から第１取付部８１に取り付ける際に用いられ（【０１４３】）、第１ボックス３１０の底部には、底面部３１５が形成され、底面部３１５は、ホッパ４０の開放部４２を構成する上部側縁の内、一方側Ｒ１の上部側縁４４ｃの上部側Ｔに配置されるように設けられ、スピーカボックス３００は、底面部３１５と上部側縁４４ｃとの隙間がメダルの厚さよりも小さくなるようにホッパ４０の上方に配置され（【０１４６】）、
　ｄｅ−２−２　第２取付部８４は、第２開口部８５と、第２カバー部８６と、を備えて構成され、第２開口部８５は、取り付け可能なスピーカボックス（スピーカユニット）の口径と略同形状の略円形に形成されており、キャビネット２ｂの背板２ｃを貫通するように形成され（【００３７】）、第２ボックス３２０の長手方向における一端側（スピーカユニット１０１の正面側Ｓ１）には、密封された第１端部３２１が設けられ、第１端部３２１には、周縁に複数の取付部３２７が設けられ、取付部３２７は、第２ボックス３２０をキャビネット２ｂの内部側から第２取付部８４に取り付ける際に用いられ（【０１４７】）、第２ボックス３２０の底部には、底面部３２５が形成され、底面部３２５は、ホッパ４０の開放部４２を構成する上部側縁の内、他方側Ｌ１の上部側縁４４ａの上部側Ｔに配置されるように設けられ、スピーカボックス３００は、底面部３２５と上部側縁４４ａとの隙間がメダルの厚さよりも小さくなるようにホッパ４０の上方に配置され（【０１５０】）、
　ｄｅ−２−３　第２開口部８５は、取り付け可能なスピーカボックス（スピーカユニット）の口径と略同形状の略円形に形成されており、キャビネット２ｂの背板２ｃを貫通するように形成され（【００３７】）、連通部３３０は、第１ボックス３１０と第２ボックス３２０の間に配置され、スピーカユニット１０１の背面側から第１ボックス３１０の内部に出力された音をバスレフポートとして第２ボックス３２０の内部に流通させ、連通部３３０は、第１パイプ３３１と、第２パイプ３３２と、連結部３３３と、を備えて構成され（【０１５１】）、連結部３３３は、第１ボックス３１０と第２ボックス３２０との間に配置され、連結部３３３には、スピーカボックス３００の正面側Ｓ１から背面側Ｓ２に向かって下り傾斜する傾斜部３３３ａが形成され、傾斜部３３３ａは、メダル補給口８０から補給されるメダル、案内部５３から案内されたメダル又は管理者により補給されるメダル等をキャビネット２ｂの床面に零すことなくホッパ４０に案内し（【０１５４】）、連結部３３３の下部側Ｂには、底面部３３５が形成され、底面部３３５は、ホッパ４０の開放部４２を構成する上部側縁の内、背面側Ｒの上部側縁４４ｂの上部側Ｔに配置されるように設けられ、スピーカボックス３００は、底面部３３５と上部側縁４４ｂとの隙間がメダルの厚さよりも小さくなるようにホッパ４０の上方に配置され（【０１５５】）、
　ｄｅ−３　連結部３３３は、第１ボックス３１０及び第２ボックス３２０のキャビネット２ｂの背板２ｃに取り付けられる面よりも、わずかに突出しており（図２２、図２４、認定事項１）
　ｄｅ−４　ホッパ４０の右側方（Ｒ１側）の空間の上方には、スピーカボックス３００の第１ボックス３１０が設けられ（図２５、認定事項２）、
　ｄｅ−５　連結部３３３は、キャビネット２ｂの背板２ｃに近接して設けられ（図２６、認定事項３）、
　ｆ　遊技媒体としてメダルを用いて遊技を行うパチスロ機である遊技機１Ａ（【００１７】、【０１３８】）。」
第６　対比・判断
１　対比
　本願発明と引用発明とを対比する。
（ａ）引用発明の構成ａｂの
・「メダル」
・「メダルを貯留」する「ホッパータンク４３」
・「メダルを貯留」する「ホッパータンク４３」を備える「ホッパ４０」
は、それぞれ本願発明の構成Ａの
・「メダル」
・「メダルを貯留可能なバケット」
・「メダルを貯留可能なバケットを有するホッパ装置」
に相当する。
　したがって、引用発明の構成ａｂは、本願発明の構成Ａを備える。
（ｂ）引用発明の構成ａｂの「ホッパ４０」が配設される「キャビネット２ｂ」は、本願発明の構成Ｂの「前記ホッパ装置を収容する筐体」に相当する。
　したがって、引用発明の構成ａｂは、本願発明の構成Ｂを備える。
（ｄ）引用発明の構成ｄｅ−２−１及び構成ｄｅ−２−２の「キャビネット２ｂの背板２ｃ」は、本願発明の「前記筐体の背板」に相当する。
　引用発明の構成ｄｅ−１の「スピーカボックス３００」は、
（構成ｄｅ−２−１より）ホッパ４０の開放部４２を構成する上部側縁の内、一方側Ｒ１の「上部側縁４４ｃとの隙間がメダルの厚さよりも小さくなるようにホッパ４０の上方に配置され」る「底面部３１５」が形成される「第１ボックス３１０」と、
（構成ｄｅ−２−２より）ホッパ４０の開放部４２を構成する上部側縁の内、他方側Ｌ１の「上部側縁４４ａとの隙間がメダルの厚さよりも小さくなるようにホッパ４０の上方に配置され」る「底面部３２５」が形成される「第２ボックス３２０」と、
（構成ｄｅ−２−３より）「メダル補給口８０から補給されるメダル、案内部５３から案内されたメダル又は管理者により補給されるメダル等をキャビネット２ｂの床面に零すことなくホッパ４０に案内」する「傾斜部３３３ａ」が形成される「連結部３３３」、
を備えているから、本願発明の「前記ホッパ装置の外部にメダルが落下するのを防止するためのメダルこぼれ防止部」に相当する。
　そして、引用発明の「スピーカボックス３００」は、
（構成ｄｅ−２−１より）「キャビネット２ｂの背板２ｃを貫通するように形成され」た「第１開口部８２」を備えて構成された「第１取付部８１に取り付け」られる「第１ボックス３１０」と、
（構成ｄｅ−２−２より）「キャビネット２ｂの背板２ｃを貫通するように形成され」た「第２開口部８５」を備えて構成された「第２取付部８４に取り付け」られる「第２ボックス３２０」
を備えて構成されていることから、「キャビネット２ｂの背板２ｃ」に取り付けられるものであって、このことは、本願発明の「前記筐体の背板には、前記ホッパ装置の外部にメダルが落下するのを防止するためのメダルこぼれ防止部が設けられ」ることに相当する。
　したがって、引用発明の構成ｄｅ−１、ｄｅ−２−１、ｄｅ−２−２、ｄｅ−２−３は、本願発明の構成Ｄを備える。
（ｅ−１）まず、本願発明の構成Ｅ
「前記メダルこぼれ防止部は、前記背板から前面側に突出し、前記バケットの後端縁と前記背板との間の隙間を埋めるように設けられ、前記背板から前記ホッパ装置に架けて設けられた第１メダルこぼれ防止部と、前記補助収納庫から前記ホッパ装置に架けて設けられた第２メダルこぼれ防止部と、を有している」
における
「前記背板から前面側に突出し、前記バケットの後端縁と前記背板との間の隙間を埋めるように設けられ」
との事項が、「前記メダルこぼれ防止部」を限定するものであるのか、「第１メダルこぼれ防止部」を限定するものであるのかを検討する。
　上記事項は、本件補正前の請求項１が、
「【請求項１】
　メダルを貯留可能なバケットを有するホッパ装置と、
　前記ホッパ装置を収容する筐体と、を備え、
　前記筐体の背板には、前記ホッパ装置の外部にメダルが落下するのを防止するためのメダルこぼれ防止部が設けられ、
　前記メダルこぼれ防止部は、前記背板から前面側に突出し、前記バケットの後端縁と前記背板との間の隙間を埋めるように設けられている、
　ことを特徴とする遊技機。」
であったことから、「前記メダルこぼれ防止部」を限定するものであり、本件補正前の請求項１を引用する請求項２においても同様である。そして、審判請求書の「（２）補正の根拠の明示」において、「補正前請求項２を従属形式から独立形式へと記載を変更するとともに、補正前の請求項１を削除する補正を行いました。」、「この補正は、請求項の削除を目的とするものであり、特許法第１７条の２第５項第１号の要件を充足します」と記載されていることから、本願発明は、本件補正前の請求項２と発明として同一のものであり、本願発明においても、上記事項は「前記メダルこぼれ防止部」を限定するものであると認められる。
（ｅ−２）引用発明において、「キャビネット２ｂの内部側」は、「キャビネット２ｂの背板２ｃ」よりも前面側となることは明らかであるから、上記（ｄ）で検討したように、「キャビネット２ｂの内部側から」「キャビネット２ｂの背板２ｃ」に取り付けられる「スピーカボックス３００」は、「キャビネット２ｂの背板２ｃ」から前面側に突出することとなり、このことは、本願発明の構成Ｅの「前記メダルこぼれ防止部は、前記背板から前面側に突出」することに相当する。
（ｅ−３）引用発明の構成ｄｅ−２−３の「ホッパ４０の開放部４２を構成する上部側縁の内、背面側Ｒの上部側縁４４ｂ」は、本願発明の「前記バケットの後端縁」に相当する。
（ｅ−４）引用発明において、（構成ｄｅ−２−３より）「連結部３３３の下部側Ｂに」形成された「底面部３３５と」「ホッパ４０の開放部４２を構成する上部側縁の内、背面側Ｒの」「上部側縁４４ｂとの隙間がメダルの厚さよりも小さくなるようにホッパ４０の上方に配置され」ていること、及び（構成ｄｅ−５より）「連結部３３３は、キャビネット２ｂの背板２ｃに近接して設けられ」ることから、「連結部３３３」は、「上部側縁４４ｂ」と、「キャビネット２ｂの背板２ｃ」の間の隙間をふさぐものである。
　そうすると、（構成ｄｅ−１より）「スピーカボックス３００」は「連通部３３０」を備え、（構成ｄｅ−２−３より）「連通部３３０」は、「連結部３３３」を備えることから、「連結部３３３」を備える「連通部３３０」を備える「スピーカボックス３００」は、「ホッパ４０の開放部４２を構成する上部側縁の内、背面側Ｒの」「上部側縁４４ｂ」と、「キャビネット２ｂの背板２ｃ」の間の隙間をふさぐものであり、このことは、本願発明の構成Ｅの「前記メダルこぼれ防止部は」、「前記バケットの後端縁と前記背板との間の隙間を埋めるように設けられ」ていることに相当する。
（ｅ−５）引用発明の「連結部３３３」は、上記で検討したように、ホッパ４０の開放部４２を構成する上部側縁の内、背面側Ｒの「上部側縁４４ｂ」と、「キャビネット２ｂの背板２ｃ」の間に設けられたものということができるから、本願発明の構成Ｅの「前記背板から前記ホッパ装置に架けて設けられた第１メダルこぼれ防止部」に相当する。
　したがって、引用発明の「スピーカボックス３００」は「連通部３３０」を備え、「連通部３３０」は、「連結部３３３」を備えることは、本願発明の「前記メダルこぼれ防止部は」、「前記背板から前記ホッパ装置に架けて設けられた第１メダルこぼれ防止部」「を有している」ことに相当する。
（ｅ−６）上記（ｅ−２）〜（ｅ−５）から、引用発明の構成ｄｅ−１、ｄｅ−２−１、ｄｅ−２−２、ｄｅ−２−３、ｄｅ−３、ｄｅ−４、ｄｅ−５は、本願発明の構成Ｅと、
「前記メダルこぼれ防止部は、前記背板から前面側に突出し、前記バケットの後端縁と前記背板との間の隙間を埋めるように設けられ、前記背板から前記ホッパ装置に架けて設けられた第１メダルこぼれ防止部を有している」
点で共通する。
（ｆ）引用発明の「遊技機１Ａ」は、本願発明の「遊技機」に相当する。
　上記（ａ）〜（ｆ）より、両者の一致点および相違点は、次のとおりである。
［一致点］
「Ａ　メダルを貯留可能なバケットを有するホッパ装置と、
　Ｂ　前記ホッパ装置を収容する筐体と、
　Ｄ　前記筐体の背板には、前記ホッパ装置の外部にメダルが落下するのを防止するためのメダルこぼれ防止部が設けられ、
　Ｅ’　前記メダルこぼれ防止部は、前記背板から前面側に突出し、前記バケットの後端縁と前記背板との間の隙間を埋めるように設けられ、前記背板から前記ホッパ装置に架けて設けられた第１メダルこぼれ防止部を有している、
　Ｆ　遊技機。」
［相違点］（構成Ｃ、Ｅ）
　本願発明は、「前記筐体に収容され、前記ホッパ装置から溢れたメダルを収納可能な補助収納庫」を備え、「メダルこぼれ防止部」が、「前記補助収納庫から前記ホッパ装置に架けて設けられた第２メダルこぼれ防止部」を有しているのに対して、引用発明は、補助収納庫に相当する構成を有しない点。
２　判断
　上記相違点について検討する。
　引用文献１の図４は、「本実施形態に係る遊技機１」を示すものであって、引用発明に係る「本実施形態の第１変形例に係る遊技機１Ａ」を示すものではないが、「ホッパ４０」の右側に符号が付されていない部材が図示されている。
引用文献１の図４：
　また、遊技を行うための遊技媒体としてメダルを用いるパチスロにおいて、ホッパー装置の側方に、ホッパー装置から溢れ出たメダルを収納するメダル補助収納庫を設けることは、例えば、特開２０１３−１８８３８８号公報、特開２０１４−１６１５２９号公報に、以下の事項が記載されているように、技術常識である（下線は、当審で付した。）。
特開２０１３−１８８３８８号公報における記載：
「【００１４】
　
本実施の形態のパチスロでは、遊技を行うための遊技媒体としてメダルを用いる
「【００５１】
　
キャビネット２ａの内部の下側には、メダル払出装置（以下、ホッパー装置）５１と、メダル補助収納庫５２
が配設されている。
【００５２】
　ホッパー装置５１は、キャビネット２ａにおける底面板２０ｂの中央部に取り付けられている。このホッパー装置５１は、多量のメダルを収容可能で、それらを１枚ずつ排出可能な構造を有する。ホッパー装置５１は、貯留されたメダルが例えば５０枚を超えたとき、又は精算ボタンが押圧されてメダルの精算を行うときに、メダルを払い出す。ホッパー装置５１によって払い出されたメダルは、メダル払出口３２（図２参照）から排出される。
【００５３】
　
メダル補助収納庫５２は、ホッパー装置５１から溢れ出たメダルを収納する。このメダル補助収納庫５２は、キャビネット２ａ内部を正面から見て、ホッパー装置５１の右側に配置されている
「【図３】
」
「【図４】
」
「【図５】
」
特開２０１４−１６１５２９号公報における記載：
「【００５０】
　また、
キャビネット２ａ内における、ホッパー装置４３の右側方（キャビネット２ａ内部を正面から見て右側）には、メダル補助収納庫４５が設けられている。このメダル補助収納庫４５は、ホッパー装置４３から溢れ出たメダルを収納する。
「【図３】
」
　上記技術常識を参酌すると、引用文献１の図４において、「ホッパ４０」の右側に示されている符号が付されていない構成は、ホッパ４０から溢れ出たメダルを収納するメダル補助収納庫であると認められることから、引用文献１の図４には、ホッパ４０の側方に、ホッパ４０から溢れ出たメダルを収納するメダル補助収納庫を設けること（以下、「引用文献１記載事項」という。）が記載されていると認められる。
　一方、引用文献１の【０１６４】には、
「図２５及び図２６に示すように、第１変形例においては、遊技機１Ａは、ホッパ４０に設けられる開放部４２の少なくとも一部を覆うように、スピーカボックス３００をホッパ４０の上方側に配置している。そのため、遊技機１Ａは、案内部５３から、若しくは管理者によりメダルが開放部４２に投入された時に、例えば、ホッパータンク４３内におけるメダルの偏った堆積やメダルの落下速度等により、ホッパータンク４３からメダルが跳ね返った場合においても、スピーカボックス３００の底部（例えば、第１及び第２ボックスの底面部３１５，３２５）に衝突させることが可能になる。これにより、遊技機１Ａは、
メダルがホッパータンク４３の外部に飛散することを防止することが可能になる
メダルがホッパータンク４３の外部に飛散することを防止することにより、キャビネット２ｂの床面等にメダルが散点することを防止する
と記載されているように（下線は、当審で付した。）、引用発明は、メダルがホッパータンク４３の外部に飛散することを防止することにより、キャビネット２ｂの床面等にメダルが散点することを防止することを課題とするものであり、引用文献１記載事項のメダル補助収納庫も、
ホッパー装置から溢れ出たメダルを収納するものであり、
　したがって、引用発明において、ホッパ４０から溢れ出たメダルがキャビネット２ｂの床面等に散点することを防止するために、上記引用文献１記載事項を適用して、ホッパ４０の側方に、ホッパ４０から溢れ出たメダルを収納するメダル補助収納庫を設けることは、当業者が容易に想到できたことであり、このように設けたメダル補助収納庫は、相違点における「前記筐体に収容され、前記ホッパ装置から溢れたメダルを収納可能な補助収納庫」に相当する。
　また、引用発明は、
（構成ｄｅ−３より）「ホッパ４０の右側方（Ｒ１側）の空間の上方には、スピーカボックス３００の第１ボックス３１０が設けられ」、
（構成ｄｅ−２−１より）「第１ボックス３１０の底部には、底面部３１５が形成され、底面部３１５は、ホッパ４０の開放部４２を構成する上部側縁の内、一方側Ｒ１の上部側縁４４ｃの上部側Ｔに配置されるように設けられ、スピーカボックス３００は、底面部３１５と上部側縁４４ｃとの隙間がメダルの厚さよりも小さくなるようにホッパ４０の上方に配置され」
ているものであるから、「第１ボックス３１０」は、メダルがホッパ４０からこぼれるのを防止するものである。
　また、上記のように、引用発明において、上記引用文献１記載事項を適用して、ホッパ４０の右側方（Ｒ１側）の空間に、ホッパ４０から溢れ出たメダルを収納するメダル補助収納庫を設ける場合、メダル補助収納庫とホッパ４０の間の空間の上方には、「第１ボックス３１０」が設けられることとなり、「第１ボックス３１０」は、相違点に係る本願発明の構成のうち、「前記補助収納庫から前記ホッパ装置に架けて設けられた第２メダルこぼれ防止部」に相当するものとなる。
　そして、引用発明の「スピーカボックス３００」が、「第１ボックス３１０」を有することは、相違点に係る本願発明の構成のうち、「前記メダルこぼれ防止部は」、「前記補助収納庫から前記ホッパ装置に架けて設けられた第２メダルこぼれ防止部」を「有している」ことに相当する。
　したがって、引用発明に、上記引用文献１記載事項を適用して、ホッパ４０の右側方（Ｒ１側）に、ホッパ４０から溢れ出たメダルを収納するメダル補助収納庫を設け、相違点に係る本願発明の特定事項とすることは、当業者が容易になし得たことである。
　また、本願発明により奏される効果は、引用発明及び引用文献１記載事項に基づいて当業者が予測できる効果の範囲内のものである。
　よって、本願発明は、引用発明及び引用文献１記載事項に基いて当業者が容易に発明をすることができたものである。
第７　請求人の主張について
　請求人は、審判請求書の「（４）本願発明と引用発明との対比」において、以下の旨主張する。
（主張１）「上述させて戴きましたように、本願発明によりますと、メダルこぼれ防止部（例えば、コインガードＨＰ３０）は、背板（例えば、背面壁Ｇ３）から前面側に突出し、ホッパ装置（例えば、ホッパ機構ＨＰ）のバケット（例えば、バケットＨＰ１）の後端縁と背板（例えば、背面壁Ｇ３）との間の隙間を埋めるように設けられています。「背板（例えば、背面壁Ｇ３）から前面側に突出」していることから、メダルこぼれ防止部（例えば、コインガードＨＰ３０）の背面側は、背板（例えば、背面壁Ｇ３）と当接していると言えます。これにより、ホッパ装置（例えば、ホッパ機構ＨＰ）の後方からメダルがこぼれるのを効果的に防止することが可能となっています。これに対し、引用文献１において、連結部３３３がキャビネット２ｂの背板２ｃとホッパ４０との間を埋めていること（とりわけ、連結部３３３が背板２ｃと当接していること）は開示されていません。
　この点、引用文献１の［０１５４］には、スピーカボックス３００の連結部３３３に傾斜部３３３ａが形成されており、傾斜部３３３ａは、メダル補給口８０から補給されるメダル等をキャビネット２ｂの床面に零すことなくホッパ４０に案内する旨、記載されています。しかしながら、当該記載は、「傾斜部３３３ａに落下したメダルについて、（傾斜を利用して）当該メダルを零さないようにホッパ４０に案内する」ということを意味するにとどまり、「メダル補給口８０から補給されるメダル等の全てが傾斜部３３３ａに落下する」ということまで意味するものではありません。連結部３３３は、スピーカボックス３００の構成要素として（［０１４２］）、スピーカの機能を最大限発揮することが可能な形状を有していると考えられますところ、このような連結部３３３を用いる限り、キャビネット２ｂの背板２ｃとホッパ４０との間を（厳密に）埋めるのは困難であり、連結部３３３と背板２ｃとの間には僅かばかり隙間が生じ、当該隙間からメダルが落下してしまう蓋然性が高いものと思料致します。そして、仮に、引用文献１において、連結部３３３を背板２ｃから前面側に突出させ、背板２ｃとホッパ４０との間が完全に埋められる（連結部３３３が背板２ｃと当接する）ような形態を採用すると、連結部３３３が背板２ｃに接続されることに起因して、スピーカユニット１０１から出力される音に異常を来してしまうことが懸念されます。」
（主張２）「以上に加えまして、上述させて戴きましたように、本願発明によりますと、メダルこぼれ防止部（例えば、コインガードＨＰ３０）は、補助収納庫（例えば、オーバーフローバケットＯＦ）からホッパ装置（例えば、ホッパ機構ＨＰ）に架けて設けられた第２メダルこぼれ防止部（例えば、第２ガード部ＨＰ３０２）を有しています。これに対し、拒絶査定におきまして、審査官殿は、引用文献１におけるスピーカボックス３００の第１ボックス３１０（図１９）が補正前請求項２に係る発明における「第２メダルこぼれ防止部」に相当する旨、ご認定になられています。しかしながら、引用文献１には、「補助収納庫」に関する具体的説明が一切存在せず（「補助収納庫」という言葉さえも登場せず）、第１ボックス３１０が補助収納庫からホッパ４０に架けて設けられているようなことは、開示されておらず示唆もされていません。
　この点に関し、審査官殿は、「引用文献１に記載の第１ボックスは図４から補助収納庫の上部に位置していることが開示されている」とご認定になられています。引用文献１の図４を見ますと、たしかに、「補助収納庫」と思える構成が図面上（キャビネット２ｂの右下あたりに）現れているようです。しかしながら、引用文献１において、当該図４がメインの実施形態（本実施形態）に関する図であるのに対し、第１ボックス３１０は、第１変形例に係る遊技機の構成要素です。メインの実施形態と変形例との関係性については、「第１及び第２変形例に係る遊技機１Ａ，１Ｂにおいては、主として、前記実施形態との相違点を説明し、前記実施形態と同様の構成については同じ符号を付し、説明を省略する。つまり、第１及び第２変形例に係る遊技機１Ａ，１Ｂにおいて特に説明されない点については、前記実施形態についての説明が適宜適用される。」と記載されています（［０１３８］）。その上で、第１ボックス３１０の取付箇所に関して、［０１４３］には、「第１取付部８１には、第１ボックス３１０の開放端部３１１側が配設される。」と記載されています。第１取付部８１は、メインの実施形態においてスピーカボックス１００が取り付けられる箇所であり（［００３６］）、キャビネット２ｂにおける中央よりもやや左寄りに設けられています（図４）。このような第１取付部８１に第１ボックス３１０を配設した場合、第１ボックス３１０は、補助収納庫よりもかなり左の方に配置されることになり、「補助収納庫からホッパ４０に架けて」設けられたものとはなりません。
　そもそも、第１ボックス３１０を「補助収納庫からホッパ４０に架けて」設けるためには、第１ボックス３１０の右端が補助収納庫の左端に架かるとともに、第１ボックス３１０の左端がホッパ４０の右端に架かる必要があり、かなり厳密な位置合わせが必要になりますが、引用文献１には、このような第１ボックス３１０と補助収納庫とホッパ４０との配置関係に対する配慮が一切存在しません。また、仮に、第１ボックス３１０を「補助収納庫からホッパ４０に架けて」設けるとすると、第１ボックス３１０には平坦状の第１凹状部３１２が形成されておりますところ（［０１４５］）、メダルが第１凹状部３１２に乗っかることに起因して、スピーカユニット１０１から出力される音にやはり異常を来してしまうことが懸念されます。この点につきましては、補正前請求項２に係る発明に関し、令和２年３月２４日付意見書でも主張させて戴きました通りです。」
　主張１について検討する。
　上記「第６　対比・判断」「１　対比」（ｅ）で検討したように、「スピーカボックス３００」は、「キャビネット２ｂの内部側から」「キャビネット２ｂの背板２ｃ」に取り付けられることから、「キャビネット２ｂの背板２ｃ」から前面側に突出するものであり、このことは、本願発明の構成Ｅの「前記メダルこぼれ防止部は、前記背板から前面側に突出」することに相当する。
　そして、「スピーカボックス３００」は、「キャビネット２ｂの背板２ｃ」に取り付けられるものであるから、「キャビネット２ｂの背板２ｃ」に当接することは自明である。
　また、本願の図７８、図８０、図８１及び主張１を参酌すると、本願発明の「前記メダルこぼれ防止部は、…前記バケットの後端縁と前記背板との間の隙間を埋めるように設けられ」との事項が意味するのは、必ずしも「前記メダルこぼれ防止部」が、「前記バケットの後端縁と前記背板との間」の空間の全体に隙間なく設けられることではなく、ホッパ装置（例えば、ホッパ機構ＨＰ）の後方からメダルがこぼれるのを効果的に防止することが可能となるように、ホッパ装置のバケットの後端縁と背板との間の隙間の少なくとも上部をふさぐように設けられていることを意味すると認められる。そして、引用発明の「連結部３３３」を備える「連通部３３０」を備える「スピーカボックス３００」が、ホッパ４０の開放部４２を構成する上部側縁の内、背面側Ｒの「上部側縁４４ｂ」と「キャビネット２ｂの背板２ｃ」の間の隙間をふさぐものであることは、「第６　対比・判断」「１　対比」「（ｅ−４）」で検討した通りである。
　本願発明は、本件補正前の請求項２を従属形式から独立形式へと記載を変更したものであるから、検討の対象となる原査定の拒絶理由は、本件補正前の請求項２に対するものである。
　しかしながら、原査定では、本件補正前の請求項１についての拒絶理由として、
「スピーカボックス３００の連結部３３３が本願のメダルこぼれ防止部に相当する」
とされ、本件補正前の請求項２に対する拒絶理由として、
「スピーカボックス３００は第１ボックスと第２ボックスが連結部３３３で連結されており、連結部が本願の第１メダルこぼれ防止部に、第１ボックスが本願の第２メダルこぼれ防止部に相当するものであると認める」
とされているところ、主張１では、引用発明の連結部３３３が背板２ｃと当接するかが論じられていることから、主張１は、原査定の拒絶理由のうち、本件補正前の請求項１について論じているものと認められる。
　主張１で論じられている、連結部３３３が背板２ｃと当接するかについても検討すると、まず、「メダルこぼれ防止部（又は第１メダルこぼれ防止部）が背板と当接していること」は、本願発明において特定されていない事項である。
　請求人は、主張１において、「連結部３３３がキャビネット２ｂの背板２ｃとホッパ４０との間を埋めていること」をもって、「連結部３３３が背板２ｃと当接していること」としているところ、引用発明の「連結部３３３」が、「ホッパ４０の開放部４２を構成する上部側縁の内、背面側Ｒの」「上部側縁４４ｂ」と「キャビネット２ｂの背板２ｃ」の間の隙間をふさぐものであることは、「第６　対比・判断」「１　対比」「（ｅ−４）」で検討したとおりである。
　そして、引用発明の構成ｄｅ−４によれば、「連結部３３３は、キャビネット２ｂの背板２ｃに近接して設けられて」おり、引用発明の構成ｄｅ−３によれば、「連結部３３３は、第１ボックス３１０及び第２ボックス３２０のキャビネット２ｂの背板２ｃに取り付けられる面よりも、わずかに突出して」いることから、「第１ボックス３１０」及び「第２ボックス３２０」がキャビネット２ｂの背板２ｃに取り付けられると、「連結部３３３」は、キャビネット２ｂの背板２ｃに当接するものと認められる。
「【図２２】
 
」
「【図２４】
 
」
　仮に、引用発明において、連結部３３３が、キャビネット２ｂの背板２ｃに当接するか明らかでないとしても、上記「第６　対比・判断」「２　判断」「（１）相違点１について」で検討したように、引用発明は、メダルがホッパータンク４３の外部に飛散することを防止することにより、キャビネット２ｂの床面等にメダルが散点することを防止することを課題とするものであると認められることから、メダルが連結部３３３とキャビネット２ｂの背板２ｃの間から落ちることを防ぐために、連結部３３３とキャビネット２ｂの背板２ｃが当接するように設けることは、当業者が容易に想到できたことである。
　主張１のうち、特に
「仮に、引用文献１において、連結部３３３を背板２ｃから前面側に突出させ、背板２ｃとホッパ４０との間が完全に埋められる（連結部３３３が背板２ｃと当接する）ような形態を採用すると、連結部３３３が背板２ｃに接続されることに起因して、スピーカユニット１０１から出力される音に異常を来してしまうことが懸念されます。」
との主張については、引用文献１の図２３を参照すると、連結部３３３のうち、「第１ボックス３１０の内部に出力された音をバスレフポートとして第２ボックス３２０の内部に流通させる」ためのパイプ形状の部分は、連結部３３３の全体ではなく、その一部であって、連結部３３３のうち、（構成ｄｅ−４より）「キャビネット２ｂの背板２ｃに接して又はほぼ接して設けられている」箇所、又は上記で検討した「キャビネット２ｂの背板２ｃに当接」する箇所は、連結部３３３のパイプ形状の部分から延出する部材であると認められ、この連結部３３３のパイプ形状の部分から延出する部材は、「第１ボックス３１０の内部に出力された音をバスレフポートとして第２ボックス３２０の内部に流通させる」ための連結部３３３のパイプ形状の部分自体ではないから、「キャビネット２ｂの背板２ｃに当接」しても、スピーカユニット１０１から出力される音に大きな影響を及ぼすとは考えられず、主張１を採用することはできない。
「【図２３】
 」
　主張２について検討する。上記「第６　対比・判断」「２　判断」「（２）相違点２について」で検討したように、引用発明において、上記引用文献１記載事項を適用して、キャビネットの内部の下側に、ホッパー装置から溢れ出たメダルを収納するメダル補助収納庫を、ホッパー装置の右側方（Ｒ１側）の空間に設けることとした場合、メダル補助収納庫とホッパ４０の間の空間の上方には、「第１ボックス３１０」が設けられることとなって、「第１ボックス３１０」は、「補助収納庫からホッパ４０に架けて」設けられたものとなる。
　また、主張２の
「そもそも、第１ボックス３１０を「補助収納庫からホッパ４０に架けて」設けるためには、第１ボックス３１０の右端が補助収納庫の左端に架かるとともに、第１ボックス３１０の左端がホッパ４０の右端に架かる必要があり、かなり厳密な位置合わせが必要になりますが、引用文献１には、このような第１ボックス３１０と補助収納庫とホッパ４０との配置関係に対する配慮が一切存在しません。」
との主張については、本願発明において、第２メダルこぼれ防止部の一方の端が補助収納庫の端に架かるとともに、第２メダルこぼれ防止部の他方の端がホッパ装置の端に架かる必要があることは限定されておらず、また、「ホッパー装置などからメダルが溢れ落ちるのを防止する」との課題（【０００４】）を解決するには、第２メダルこぼれ防止部の一方の端が補助収納庫の端に架かるかそれ以上に長く、第２メダルこぼれ防止部の他方の端がホッパ装置の端に架かるかそれ以上に長ければよいのであるから、厳密な位置合わせが必要であるとも認められない。
　そして、主張２の
「また、仮に、第１ボックス３１０を「補助収納庫からホッパ４０に架けて」設けるとすると、第１ボックス３１０には平坦状の第１凹状部３１２が形成されておりますところ（［０１４５］）、メダルが第１凹状部３１２に乗っかることに起因して、スピーカユニット１０１から出力される音にやはり異常を来してしまうことが懸念されます。」
との主張については、引用文献１の【０１４５】に、
「第１凹状部３１２は、筐体２の前面扉２ａを閉じた状態において、メインリールユニット３０Ａの背面側の一部を収容可能に形成されている。」
と記載されているように、第１凹状部３１２の上に、メインリールユニット３０Ａの背面側の一部が収容されることから、メダルが第１凹状部３１２に乗っかることは通常ないと考えられる。仮に、メダルが第１凹状部３１２に乗っかることに起因して、スピーカユニット１０１から出力される音に異常を来してしまうことがあるとしても、それは、補助収納庫を設けることとは関係なく発生する問題であって、補助収納庫を設けることを阻害するものではない。
　したがって、主張２は採用することができない。
第８　むすび 
　以上のとおりであるから、本願発明は、引用発明及び引用文献１記載事項に基づいて当業者が容易に発明をすることができたものであり、特許法第２９条第２項の規定により特許を受けることができない。 
　したがって、本願は、拒絶されるべきものである。 
　よって、結論のとおり審決する。